(57)【要約】　　　（修正有）【課題】隣接するフラップ片の対向側端面同士が衝突することなく自動封凾機にて封凾することができるダンボールシートを得ることができるダンボールシートの切断加工装置を提供する。【解決手段】ダンボールシートの切断加工装置は、フラップ片が形成されたダンボールシートをダイロールとアンビルロール１との間に供給して、ダイロールに配設した切断刃によりダンボールシートを切断加工するダンボールシートの切断加工装置において、ダイロールの外周面に一対のホルダー４を配設し、各ホルダー４に、ダンボールシートのフラップ片の両側端部における少なくとも先端側角部を切断除去するフラップ片角部切断刃６を突設している刃台と、ダンボールシートの所定箇所に手掛孔を貫設するための手掛貫設刃７を突設している刃台とを着脱自在に装着してなる。【選択図】　　図２
2004098219.tif 000002
【特許請求の範囲】
【請求項１】
フラップ片が形成されたダンボールシートをダイロールとアンビルロールとの間に供給して、ダイロールの外周面に配設した切断刃によりダンボールシートを切断加工するダンボールシートの切断加工装置において、上記ダイロールの外周面に該ダイロールの長さ方向に移動可能な一対のホルダーを配設し、各ホルダーに、ダンボールシートのフラップ片の両側端部における少なくとも先端側角部を切断除去するフラップ片角部切断刃を突設している刃台と、ダンボールシートの所定箇所に手掛孔を貫設するための手掛貫設刃を突設している刃台とを周方向に所定間隔を存して着脱自在に装着してなることを特徴とするダンボールシートの切断加工装置。
【発明の詳細な説明】
【０００１】
【発明の属する技術分野】
本発明は、封凾が容易に行えるダンボールシートの切断加工装置に関する。
【０００２】
【従来の技術】
従来からダンボール箱が輸送、保管用途に汎用されており、近年、内容物をダンボール箱に挿入して自動的に封凾する自動封凾機が用いられている。この自動封凾機では、先ず、図８に示したように、ダンボール箱の開口部の四方外周縁の夫々に形成された四枚のフラップ片Ａ４、Ａ４、Ａ４’　、Ａ４’　のうちの互いに対向する一対のフラップ片Ａ４、Ａ４を内側に折り畳んだ後、残りの一対のフラップ片Ａ４’　、Ａ４’　を上記フラップ片Ａ４、Ａ４上に重ね合わせるように折り畳むことによってダンボール箱の開口部を封凾している。
【０００３】
【発明が解決しようとする課題】
しかしながら、上記従来のダンボール箱によれば全てのフラップ片Ａ４、Ａ１’　は、隣接するフラップ片Ａ４、Ａ４’　の対向する側端面同士が互いに僅かな隙間を介して平行となるように矩形状に打ち抜き加工されているために、フラップ片Ａ４、Ａ４’　を内側に折り畳む際に、一方のフラップ片Ａ４又はＡ４’　の折り曲げを開始した時点で、その側端面の先端部が他方のフラップ片Ａ４’　又はＡ４の対向側端面の先端部に衝突して円滑な折り畳みが行えなくなり、自動封凾機がしばしば停止してしまうといった問題点があった。
【０００４】
本発明は、このような問題点に鑑みてなされたもので、自動封凾機を用いてダンボール箱の開口部を封凾する際に、隣接するフラップ片の対向側端面同士が衝突することなく、確実且つ円滑に封凾することができるダンボールシートを得ることを目的としたダンボールシートの切断加工装置を提供する。
【０００５】
【課題を解決する手段】
上記目的を達成するために本発明のダンボールシートの切断加工装置は、請求項１に記載したように、フラップ片が形成されたダンボールシートをダイロールとアンビルロールとの間に供給して、ダイロールの外周面に配設した切断刃によりダンボールシートを切断加工するダンボールシートの切断加工装置において、上記ダイロールの外周面に該ダイロールの長さ方向に移動可能な一対のホルダーを配設し、各ホルダーに、ダンボールシートのフラップ片の両側端部における少なくとも先端側角部を切断除去するフラップ片角部切断刃を突設している刃台と、ダンボールシートの所定箇所に手掛孔を貫設するための手掛貫設刃を突設している刃台とを周方向に所定間隔を存して着脱自在に装着してなることを特徴とする。
【０００６】
【作用】
本発明のダンボールシートの切断加工装置は、ダイロール上に装着している一対のホルダーの夫々に、ダンボールシートのフラップ片をその両側端部における少なくとも先端角部を切断除去するフラップ片角部切断刃を備えた刃台と、ダンボールシートに手掛孔を貫設するための手掛貫設刃を備えた刃台とを周方向に所定間隔を存して着脱自在に配設してなるので、フラップ片が形成されたダンボールシートをダイロールとアンビルロールとの間に供給することによって、このダンボールシートにおける所望のフラップ片をその左右幅が先端側にいくにしたがって幅狭く切断する等により、少なくとも先端両側角部を切除すると共に所望箇所に手掛孔を貫設することができる。
【０００７】
そして、本発明のダンボールシートの切断加工装置では、フラップ片の角部切断刃を突設している刃台と手掛貫設刃を突設している刃台とを、ダイロールの長さ方向に移動可能な一対のホルダーに配設していることから、ダンボールシートにおける切断加工の対象となる一対のフラップ片間の間隔がどのような間隔であっても、一対のホルダーをダイロールの長さ方向に移動させて互いに接離させることにより、ホルダーの間隔、即ち、フラップ片角部切断刃間及び手掛貫設刃間の間隔を、切断加工の対象となる一対のフラップ片の間隔に合致させてフラップ片の所定部分を正確に切断加工したり手掛孔を設けることができる。
【０００８】
更に、本発明のダンボールシートの切断加工装置では、フラップ片の角部切断刃を突設している刃台と手掛貫設刃を突設している刃台とをホルダーに対して着脱自在に装着しているので、ダンボールシートのフラップ片の左右幅及び前後幅、並びに、手掛孔の貫設位置に応じて、フラップ片角部切断刃及び手掛貫設刃をそれぞれ突設している刃台を所望寸法形状を有する切断刃及び手掛貫設刃を突設している刃台に取り替えることにより、種々のダンボールシートのフラップ片の切断加工処理及び手掛孔の貫設処理に対応することができる。
【０００９】
こうして得られたダンボールシートは、その隣接するフラップ片において、一方のフラップ片を先端にいくに従って徐々にその幅狭くなるように加工する等により、少なくとも該フラップ片の先端部両側角部が切除されているから、該フラップ片の側端面の先端部が先端に向かって他方のフラップ片の対向する先端部側端面に対して徐々に離間した形態となっており、従って、これらのフラップ片の対向する側端面同士が互いに衝突することなくこれらのフラップ片を順次、内側に円滑に且つ確実に折り曲げて封凾することができる。
【００１０】
【発明の実施の形態】
本発明のダンボールシートの切断加工装置の実施の形態を図面を参照しつつ説明すると、図１及び図２において、１は、表面にゴムシート等のライニングを施してあるアンビルロールで、このアンビルロール１の下方にダイロール２を配設して、これらの上下一対のロール１、２を回転させながら、アンビルロール１とダイロール２との間に加工前のダンボールシートを供給することにより、ダイロール２の表面に着脱自在に取り付けている打抜成形板３の打抜刃３１によってダンボールシートを打抜加工して、胴体部Ａ２の上下端部の夫々に四枚のフラップ片Ａ１、Ａ１、Ａ１’　、Ａ１’　・・・が形成されたダンボールシートＡを打抜形成するように構成している。
【００１１】
更に、上記ダイロール２において、その表面一部に直状のガイド溝２１を全長に亘って刻設すると共に左右一対の円環状ホルダー４、４を被嵌させてあり、これらの円環状ホルダー４、４の内周面に一体的に固着している摺動片４１、４１を上記ガイド溝２１に摺動自在に嵌合させることにより、両円環状ホルダー４、４をダイロール２に対して長さ方向にのみ摺動自在に配設してある。
【００１２】
５１、５２は、ダイロール２の下周部に近接してこのダイロール２の長さ方向に沿って同一軸線上に配設した左右一対の送り螺子棒で、これらの螺子棒５１、５２に、上端面がダイロール２の曲面に沿う彎曲端面に形成されている一組の板状体からなる移動部材５３、５３、５４、５４の中央部に設けた螺子孔を夫々螺通させ、移動部材５３、５３間及び移動部材５４、５４間を上記円環状ホルダー４、４の環状両側端面間と同一間隔を存した状態で螺子棒５１、５２に夫々螺合させて、それらの上端円弧状対向端を円環状ホルダー４、４の両側端面の下部に係合させている。なお、５１ａ　、５２ａ　は、上記螺子棒５１、５２の夫々を正逆回転させるモータ等の適宜な回転駆動機構である。
【００１３】
そして、上記円環状ホルダー４、４の外周面には、その周方向に所定間隔を存して一対の平面矩形状の一定深さを有する刃取付部４２、４３が凹設されており、ダイロール２の回転方向における前方側の刃取付部４２にフラップ片角部切断刃６を突設している刃台６１が着脱自在に配設され、回転方向における後方側の刃取付部４３に手掛貫設刃７を突設している刃台７１が着脱自在に配設されている。なお、一対の刃取付部４２、４３を一組として、この一組の刃取付部４２、４３を数組、ホルダー４の周方向に所定間隔毎に凹設し、各組の刃取付部４２、４３の夫々にフラップ片角部切断刃６を突設している刃台６１と手掛貫設刃７を突設している刃台７１を着脱自在に配設するように構成してもよい。
【００１４】
上記フラップ片角部切断刃６を突設している刃台６１は、図３に示したように左右幅が上記刃取付部４２の左右幅に合致し且つ上記円環状ホルダー４の外周面（刃取付部４２の内底面）に沿って断面円弧状に彎曲した一定厚みを有する板材からなり、この刃台６１の上面にフラップ片角部切断刃６を平面八の字状に突設している。具体的には、このフラップ片角部切断刃６は、切断加工すべきダンボールシートＡのフラップ片Ａ１の形状に対応して該フラップ片Ａ１の両側端部を基端部から先端部に向かって徐々に幅狭くなる方向に切断する左右一対の刃部６２、６２から構成され、これらの刃部６２、６２の基端部間の幅寸法を上記ダンボールシートＡのフラップ片Ａ１の両側端面間の幅に略等しく形成されていると共に先端にいくに従って互いに近接する方向に傾斜している。なお、これらの左右刃部６２、６２は基端から先端に向かって真っ直ぐな直状刃であっても円弧状に湾曲した湾曲刃であってもよく、また、左右刃部６２、６２の先端間を連続させた平面門形状の刃に形成しておいてもよい。
【００１５】
そして、上記フラップ片角部切断刃６によって、ダンボールシートＡのフラップ片Ａ１における両側端部を全長に亘ってその基端から先端に向かって徐々に両側端面ａ、ａ間の幅が幅狭くなるように切断加工するように構成しているが、これらの左右刃部６２、６２を少なくともフラップ片Ａ１の先端部における両側角部のみを切除可能な形状に形成しておけばよい。
【００１６】
一方、上記手掛貫設刃７を突設している刃台７１は、図４に示したように平面横長方形状に形成されていて、左右幅が上記刃取付部４２の左右幅に合致し且つ上記円環状ホルダー４の外周面（刃取付部４３の内底面）に沿って断面円弧状に彎曲した一定厚みを有する板材からなり、この刃台７１に手掛貫設刃７を突設している。
【００１７】
そして、上記手掛貫設刃７によって、上記フラップ片角部切断刃６により切断加工されたフラップ片Ａ１の基端から所定間隔を存したダンボールシートＡの胴体部Ａ２の所定箇所に手掛孔Ａ３を両面間に亘って貫設するように構成している。
【００１８】
上記フラップ片角部切断刃６及び上記手掛貫設刃７の上記刃取付部４２、４３内への配設構造としては、具体的には、上記刃取付部４２、４３内には、その左右幅に合致した左右幅を有する固定部材４２１　、４３１　が円環状ホルダー４、４の周方向に変位可能に配設され、この固定部材４２１　、４３１　と上記刃取付部４２、４３の後端内壁面との間にはスプリング４４、４５が配設されている。
【００１９】
そして、刃取付部４２、４３内における固定部材４２１　、４３１　の前方側（ダイロール２の回転方向側）の空間部内に、切断加工すべきダンボールシートＡのフラップ片Ａ１の形状及び手掛孔の位置に対応した位置にフラップ片切断刃６と手掛貫設刃７とをそれぞれ突設している刃台６１、７１を嵌め込み、上記固定部材４２１　、４３１　を上記スプリング４４、４５の弾性復元力によってこれらのフラップ片角部切断刃６の刃台６１と手掛貫設刃７の刃台７１との後端面にそれぞれ押圧することにより、これらの刃台６１、７１を刃取付部４２、４３の所定位置にそれぞれ着脱自在に配設、固定させるように構成している。
【００２０】
次に、このように構成したダンボールシートの切断加工装置を用いてダンボールシートのフラップ片Ａ１を切断加工すると共に所定箇所に手掛孔Ａ３を打ち抜き形成する要領について説明する。先ず、回転駆動装置５１ａ　、５２ａ　によって左右の螺子棒５１、５２を回転させ、これら螺子棒５１、５２の夫々に螺通している移動部材５３、５３、５４、５４に係合している両円環状ホルダー４、４をダイロール２に被嵌した状態でガイド溝２１に沿ってそれぞれの移動部材５３、５３、５４、５４と一体的に移動させる。
【００２１】
そして、両円環状ホルダー４、４をダイロール２の両端部まで移動させた後、その位置で停止させ、次いで、両円環状ホルダー４、４間のダイロール２の表面所定位置に打抜形成板３を取り付ける（図１参照）。
【００２２】
しかる後、アンビルロール１とダイロール２とを回転させると共にこれらのロール１、２間に加工前のダンボールシートを供給することにより上記打抜形成板３によって打抜加工して、図５に示すように、一定前後幅を有する胴体部Ａ２の上下端部の夫々に四枚の平面矩形状フラップ片Ａ１、Ａ１、Ａ１’　、Ａ１’　が形成されたダンボールシートＡを得る。
【００２３】
次に、上記ダンボールシートＡにおいて、このダンボールシートＡによってダンボール箱に組み立てた際に、その上端開口縁で前後、左右に相対する二組のフラップ片における一方の組を形成するフラップ片Ａ１、Ａ１（側面フラップ片とする）の両側端部に、少なくともその先端部の両側角部を切除して両側端面ａ、ａが先端に向かって徐々に幅狭くなる方向に傾斜するように切断加工を施すと共にこれらの側面フラップ片Ａ１、Ａ１の基端部の中央部下方における胴体部Ａ２の所定箇所に手掛孔Ａ３を貫設するには、先ず、ダイロール２から上記打抜形成板３を取り外したのち、上記回転駆動機構５１ａ　、５２ａ　を駆動して螺子棒５１、５２を逆方向に回転させることにより、移動部材５３、５３、５４、５４を円環状ホルダー４、４の両側端面に係合させた状態で互いに近接する方向にダイロール２上を摺動移動させて左右の円環状ホルダー４、４を切断処理すべきダンボールシートＡにおける上記側面フラップ片Ａ１、Ａ１の加工位置に達したところで停止させる。
【００２４】
一方、上記ダンボールシートＡの側面フラップ片Ａ１、Ａ１の左右幅及び前後幅並びにこれらの側面フラップ片Ａ１の前端縁から上記手掛孔Ａ３の貫設位置までの間隔は、ダンボールシートＡの種類により異なる。
【００２５】
そこで、上記ダンボールシートの切断加工装置では、上記フラップ片角部切断刃６を突設している刃台６１と上記手掛貫設刃７を突設している刃台７１を上記円環状ホルダー４の刃取付部４２、４３からそれぞれ着脱自在に配設可能に構成し、ダンボールシートＡの側面フラップ片Ａ１、Ａ１の両側端部における少なくとも先端角部を除去する位置にフラップ片角部切断刃６を突設している刃台６１を選択し、この刃台６１を刃取付部４２内に着脱自在に装着すると共に、上記ダンボールシートＡの手掛孔形成位置に対応する部分に手掛貫設刃７を突設している刃台７１を選択して該刃台７１を刃取付部４３内に着脱自在に装着する。
【００２６】
このように上記刃台６１、７１をそれぞれ装着している両円環状ホルダー４、４をダイロール２における切断処理すべきダンボールシートＡの上記側面フラップ片Ａ１、Ａ１の加工位置にまで移動させた後、アンビルロール１及びダイロール２を回転させると共にこれらのロール１、２間に上記打抜加工されたダンボールシートＡをその側面フラップ片Ａ１、Ａ１がフラップ片角部切断刃６、６に対応するように供給し、ダンボールシートＡのこれらの側面フラップ片Ａ１における左右端部をフラップ片角部切断刃６によってその基端部から先端部にいくにしたがって徐々に幅狭くなるように切断加工すると共に、この切断加工された側面フラップ片Ａ１の基端Ａ１１　から後方（下方）に所定間隔だけ位置した胴体部Ａ２の所望箇所に刃台７１に突設している手掛貫設刃７によって手掛孔Ａ３を両面間に亘って貫通した状態に貫設する（図６参照）。
【００２７】
こうして得られたダンボールシートＡは、その側面フラップ片Ａ１、Ａ１が基端から先端になるにしたがって徐々に左右幅が幅狭くなるように加工されていることから、このダンボールシートＡを自動封凾機により封凾する場合にあっても、両側端面ａ、ａが先端に向かって幅狭くなった傾斜端面に形成されるダンボールシートＡの上記側面フラップ片Ａ１、Ａ１の側端面をこの側面フラップ片Ａ１、Ａ１に隣接する正面側のフラップ片Ａ１’　、Ａ１’　の対向側端面に衝突させることなく内側に円滑に折り畳むことができ、ダンボールシートの開口部を自動封函機により円滑に且つ確実に封函することができる（図７参照）。
【００２８】
なお、封凾時に側面フラップ片Ａ１、Ａ１の側端面が正面側フラップ片Ａ１’　、Ａ１’の対向側端面に衝突するのは、これらの側面フラップ片Ａ１、Ａ１の折り曲げを開始した直後であり、従って、側面フラップ片Ａ１はその両側端部を基端から先端に至まで全長に亘って先細となるように切除しておく必要はなく、両側端部の少なくとも先端部の角部を切除しておけばよい。この場合、フラップ片Ａ１の両側端面の先端角部を端面が凸円弧状となるように切除してもよく、直状となるように切除してもよい。
【００２９】
また、上記実施の形態においては、上記円環状ホルダー４、４に上記フラップ片角部切断刃６を突設している刃台６１と上記手掛孔貫設刃７を突設している刃台７１とを取り付けて、ダンボールシートＡのフラップ片Ａ１の切断加工と手掛孔Ａ３の貫設とを同時に行う場合を説明したが、上記円環状ホルダー４に上記フラップ片角部切断刃６を突設している刃台６１又は上記手掛貫設刃７を突設している刃台７１の何れか一方のみを取り付けて、上記ダンボールシートＡのフラップ片Ａ１の切断加工又は手掛孔Ａ３の貫設加工の何れか一方の加工のみを行ってもよい。
【００３０】
【発明の効果】
本発明のダンボールシートの切断加工装置は、フラップ片が形成されたダンボールシートをダイロールとアンビルロールとの間に供給して、ダイロールの外周面に配設した切断刃によりダンボールシートを切断加工するダンボールシートの切断加工装置において、上記ダイロールの外周面に該ダイロールの長さ方向に移動可能な一対のホルダーを配設し、各ホルダーに、ダンボールシートのフラップ片の両側端部における少なくとも先端側角部を切断除去するフラップ片角部切断刃を突設している刃台と、ダンボールシートの所定箇所に手掛孔を貫設するための手掛貫設刃を突設している刃台とを周方向に所定間隔を存して着脱自在に装着してなることを特徴とするので、ダンボールシートのフラップの両側端部における少なくとも先端側角部をその左右幅が先端にいくに従って幅狭くなるように加工する切断と手掛孔の貫設加工とを同時に行うことができ、自動封凾機に用いても封凾時に隣接するフラップ片の対向側端面同士が衝突する等のトラブルを生じることなく、確実且つ能率よく封凾し得るダンボールシートを効率良く製造することができる。
【００３１】
しかも、上記ダンボールシートの切断加工装置は、フラップ片角部切断刃を突設している刃台と手掛貫設刃を突設している刃台とをホルダーに対して着脱自在に配設していることから、ダンボールシートの種類によって変化するフラップ片の切断すべき形状や大きさ及び手掛孔の貫設位置に応じてフラップ片角部切断刃を突設している刃台と手掛貫設刃を突設している刃台とを選択し、これらの刃台を組み合わせて両側のボルダーにそれぞれ装着することにより、あらゆる種類のダンボールシートのフラップ片の切断加工及び手掛孔の貫設加工を円滑に且つ確実に行うことができる。
【図面の簡単な説明】
【図１】本発明のダンボールシートの打抜加工装置を示した正面図である。
【図２】図１のダンボールシートの打抜加工装置を示した斜視図である。
【図３】フラップ片角部切断刃を示した斜視図である。
【図４】手掛貫設刃を示した斜視図である。
【図５】ダンボールシートを示した平面図である。
【図６】図１のダンボールシートの打抜加工装置を用いて加工されたダンボールシートを示した平面図である。
【図７】図６のダンボールシートを組み立てた状態を示した斜視図である。
【図８】従来のダンボールシートを組み立てた状態を示した斜視図である。
【符号の説明】
１　アンビルロール
２　ダイロール
４　ホルダー
４２、４３　刃取付部
６　フラップ片角部切断刃
７　手掛貫設刃
Ａ　ダンボールシート
Ａ１、Ａ１’　フラップ片
Ａ２　胴体部
Ａ３　手掛孔
【図１】
2004098219.tif 000003
【図２】
2004098219.tif 000004
【図３】
2004098219.tif 000005
【図４】
2004098219.tif 000006
【図５】
2004098219.tif 000007
【図６】
2004098219.tif 000008
【図７】
2004098219.tif 000009
【図８】
2004098219.tif 000010